(57)【要約】【課題】、現金収納カセットの操作に関する情報を取得して記録するとともに、現金の過不足をチェックすることによって、現金事故の発生を防止するとともに、現金事故が発生した場合であっても、事故調査を容易に行うことができ、発生原因を迅速に究明することができるようにする。【解決手段】顧客が操作して金融取引を行う自動取引装置と、自動取引装置に補充する現金を出金するとともに、自動取引装置から回収した現金を保管する現金処理機と、施錠可能な扉を備え、自動取引装置に装着可能な現金を搬送するための現金収納カセットとを有し、現金処理機は、現金収納カセットの操作履歴を記録するデータベースを備えるとともに、自動取引装置に通信可能に接続され、自動取引装置に装着された現金収納カセットのカセット情報を受信してデータベースに記録し、現金収納カセットの搬送時の現金の過不足をチェックする。【選択図】          図１
2004318415.tif 000002
【特許請求の範囲】
【請求項１】
（ａ）顧客が操作して金融取引を行う自動取引装置と、
（ｂ）該自動取引装置に補充する現金を出金するとともに、前記自動取引装置から回収した現金を保管する現金処理機と、
（ｃ）施錠可能な扉を備え、少なくとも前記自動取引装置に装着可能な現金を搬送するための現金収納カセットとを有し、
（ｄ）前記現金処理機は、前記現金収納カセットの操作履歴を記録するデータベースを備えるとともに、前記自動取引装置に通信可能に接続され、該自動取引装置に装着された現金収納カセットのカセット情報を受信して前記データベースに記録し、前記現金収納カセットの搬送時の現金の過不足をチェックすることを特徴とする現金取扱システム。
【請求項２】
前記カセット情報は、前記現金収納カセットのＩＤ、現金の金額、及び、オペレータのＩＤを含む請求項１に記載の現金取扱システム。
【請求項３】
前記現金収納カセットは、前記自動取引装置に装着可能であり、前記現金収納カセットの操作履歴を記録するメモリを備える請求項１又は２に記載の現金取扱システム。
【請求項４】
（ａ）顧客が操作して金融取引を行う自動取引装置に補充する現金を出金するとともに、前記自動取引装置から回収した現金を保管する現金処理機であって、
（ｂ）現金を搬送するための現金収納カセットの操作履歴を記録するデータベースを備え、
（ｃ）前記自動取引装置に通信可能に接続され、
（ｄ）該自動取引装置に装着された現金収納カセットのカセット情報を受信して前記データベースに記録し、前記現金収納カセットの搬送時の現金の過不足をチェックすることを特徴とする現金処理機。
【請求項５】
（ａ）顧客が操作して金融取引を行う自動取引装置であって、
（ｂ）現金を搬送するための現金収納カセットに収納される現金の入金及び出金を行うカセット処理装置を備え、
（ｃ）前記自動取引装置に補充する現金を出金するとともに、前記自動取引装置から回収した現金を保管する現金処理機に通信可能に接続され、
（ｄ）前記自動取引装置に装着された前記現金収納カセットのカセット情報を前記現金処理機に送信することを特徴とする自動取引装置。
【請求項６】
（ａ）顧客が操作して金融取引を行う自動取引装置、及び、該自動取引装置に補充する現金を出金するとともに、前記自動取引装置から回収した現金を保管する現金処理機に装着可能な現金を搬送する現金収納カセットであって、
（ｂ）施錠可能な扉及び前記現金収納カセットの操作履歴を記録するメモリを備え、
（ｃ）前記自動取引装置及び現金処理機に装着されると、カセット情報を前記メモリに記録することを特徴とする現金収納カセット。
【請求項７】
（ａ）現金取扱のためにコンピュータシステムを、
（ｂ）顧客が操作して金融取引を行う自動取引装置、
（ｃ）該自動取引装置に補充する現金を出金するとともに、前記自動取引装置から回収した現金を保管する現金処理機、及び、
（ｄ）施錠可能な扉を備え、少なくとも前記自動取引装置に装着可能な現金を搬送するための現金収納カセットとして機能させ、
（ｅ）前記現金処理機は、前記現金収納カセットの操作履歴を記録するデータベースを備えるとともに、前記自動取引装置に通信可能に接続され、前記自動取引装置に装着された現金収納カセットのカセット情報を受信して前記データベースに記録し、前記現金収納カセットの搬送時の現金の過不足をチェックする現金取扱プログラム。
【請求項８】
（ａ）現金処理のためにコンピュータを、
（ｂ）顧客が操作して金融取引を行う自動取引装置に補充する現金を出金するとともに、前記自動取引装置から回収した現金を保管する現金処理機であって、
（ｃ）現金を搬送するための現金収納カセットの操作履歴を記録するデータベースを備え、
（ｄ）前記自動取引装置に通信可能に接続され、
（ｅ）該自動取引装置に装着された現金収納カセットのカセット情報を受信して前記データベースに記録し、前記現金収納カセットの搬送時の現金の過不足をチェックする現金処理機として機能させる現金処理プログラム。
【請求項９】
（ａ）自動取引のためにコンピュータを、
（ｂ）顧客が操作して金融取引を行う自動取引装置であって、
（ｃ）現金を搬送するための現金収納カセットに収納される現金の入金及び出金を行うカセット処理装置を備え、
（ｄ）前記自動取引装置に補充する現金を出金するとともに、前記自動取引装置から回収した現金を保管する現金処理機に通信可能に接続され、
（ｅ）前記自動取引装置に装着された前記現金収納カセットのカセット情報を前記現金処理機に送信する自動取引装置として機能させる自動取引プログラム。
【発明の詳細な説明】
【０００１】
【発明の属する技術分野】
本発明は、現金取扱システムに関するものである。
【０００２】
【従来の技術】
従来、銀行、郵便局、信用金庫、消費者金融会社等の金融機関の支店、すなわち、営業店等の場所には、顧客が自分で操作して、入金、出金、振込、残高照会等の金融取引を行うためのＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置が配設されている。該自動取引装置は、紙幣又は硬貨を取り扱う貨幣入出金部を有し、入金等の金融取引においては顧客が入金した現金を受け取りカウントして保管し、出金等の金融取引においては、保管している現金の中から所定金額の現金を払い出すようになっている。そのため、営業店等においては、毎日の営業開始時及び営業終了時等に、前記自動取引装置に保管される現金の補充及び回収を行うようになっている。
【０００３】
この場合、営業店等には現金処理機が配設され、該現金処理機によって計数された現金を前記自動取引装置に補充し、該自動取引装置から回収された現金を前記現金処理機によって計数する。なお、前記自動取引装置と現金処理機との間での現金の搬送は、現金収納カセットを使用して行われる。すなわち、現金を自動取引装置に補充する場合、現金処理機によって計数された現金を現金収納カセットに収容して自動取引装置に搬送し、前記現金収納カセットから現金を自動取引装置に装填（てん）する。また、現金を自動取引装置から回収する場合、該自動取引装置から回収した現金を現金収納カセットに収容して現金処理機に搬送し、前記現金収納カセットから現金を現金処理機に装填する。
【０００４】
しかし、現金を現金収納カセットに収容したり、現金を自動取引装置又は現金処理機に装填する作業は人手によって行われるので、時間と手間がかかってしまう。そこで、人手によらずに自動取引装置に保管される現金の補充及び回収を行うことができるシステムが提案されている（例えば、特許文献１参照。）。
【０００５】
該システムにおいては、自動取引装置及び現金処理機に共通の現金収納カセットを装着することができるようになっている。そして、現金を自動取引装置に補充する場合、現金処理機によって計数された現金は、あらかじめ該現金処理機に装着された現金収納カセットに自動的に収容される。続いて、現金が収容された現金収納カセットを前記現金処理機から取り外して、自動取引装置に搬送し、該自動取引装置に装着する。すると、前記現金収納カセットは、自動取引装置によって認識され、前記貨幣入出金部が、前記現金収納カセットから自動的に現金を取り出して、金種別の現金保管庫に収納する。
【０００６】
また、現金を自動取引装置から回収する場合、前記現金保管庫内の現金が前記現金収納カセットに収容される。そして、現金が収容された現金収納カセットを前記自動取引装置から取り外して、現金処理機に搬送し、該現金処理機に装着する。すると、前記現金収納カセットは、現金処理機の一部として機能し、該現金処理機は、前記現金収納カセットから自動的に現金を取り出して計数する。この場合、前記現金処理機は、余剰の金種の現金を回収し、不足する金種の現金を補充し、所定金額の現金を計数して前記現金収納カセットに自動的に収容する。そして、該現金収納カセットは再び自動取引装置に装着される。
【０００７】
この場合、自動取引装置に保管される現金の補充及び回収を人手によらずに自動的に行うことができる。
【０００８】
【特許文献１】
特開平４−３３７８９９号公報
【０００９】
【発明が解決しようとする課題】
しかしながら、前記従来の現金取扱システムにおいては、現金収納カセットの操作に関する情報が記録されていないので、自動取引装置に保管される現金の補充及び回収の業務において、現金の紛失、すなわち、現金事故が発生したか否かを検出することができない。そのため、現金事故の発生を誘発する恐れがある。また、現金事故が発生したことが判明した場合でも、どの段階において発生したのかを特定することが困難であり、現金事故発生の真相解明することができなくなってしまう。
【００１０】
前記従来の現金取扱システムにおいて、自動取引装置及び現金処理機に装着された現金収納カセットからの現金の回収及び補充は自動的に行われるが、前記現金収納カセットを自動取引装置と現金処理機との間で搬送する作業は人手によって行われるようになっている。この場合、前記現金収納カセットの扉には施錠がなされているが、トラブル等に迅速に対処することができるように、前記現金収納カセットの搬送を担当するオペレータが前記扉の鍵（かぎ）を所持することが一般的である。そのため、前記現金収納カセットを自動取引装置と現金処理機との間で搬送する途中や、前記現金収納カセットを自動取引装置や現金処理機に装着する際にトラブル等が発生した場合、前記扉が開閉されることがある。しかし、前記現金収納カセットの操作に関する情報が記録されていないので、前記扉が開閉されたことを検出することができない。
【００１１】
また、貨幣の処理を自動的に行うことができない現金処理機が多数存在する。その場合であっても、通常、自動取引装置は、貨幣の処理を自動的に行うことができるので、前記現金収納カセットから自動的に現金を取り出して払い出し、受け取った現金を前記現金収納カセットに収納する。一方、現金処理機においては、貨幣を収容する現金収納カセットを装着することができないので、手作業において、現金処理機によって計数された現金を現金収納カセットに収容したり、現金を現金収納カセットから取り出して現金処理機に装填したりするようになっている。この場合も、現金を現金収納カセットに収容したり、現金を現金収納カセットから取り出した現金収納カセットの操作に関する情報が記録されていないので、現金事故が発生したか否かを検出することができない。
【００１２】
本発明は、前記従来の現金取扱システムの問題点を解決して、現金収納カセットの操作に関する情報を取得して記録するとともに、現金の過不足をチェックすることによって、現金事故の発生を防止するとともに、現金事故が発生した場合であっても、事故調査を容易に行うことができ、発生原因を迅速に究明することができる現金取扱システムを提供することを目的とする。
【００１３】
【課題を解決するための手段】
そのために、本発明の現金取扱システムにおいては、顧客が操作して金融取引を行う自動取引装置と、該自動取引装置に補充する現金を出金するとともに、前記自動取引装置から回収した現金を保管する現金処理機と、施錠可能な扉を備え、少なくとも前記自動取引装置に装着可能な現金を搬送するための現金収納カセットとを有し、前記現金処理機は、前記現金収納カセットの操作履歴を記録するデータベースを備えるとともに、前記自動取引装置に通信可能に接続され、該自動取引装置に装着された現金収納カセットのカセット情報を受信して前記データベースに記録し、前記現金収納カセットの搬送時の現金の過不足をチェックする。
【００１４】
本発明の他の現金取扱システムにおいては、さらに、前記カセット情報は、前記現金収納カセットのＩＤ、現金の金額、及び、オペレータのＩＤを含む。
【００１５】
本発明の更に他の現金取扱システムにおいては、さらに、前記現金収納カセットは、前記自動取引装置に装着可能であり、前記現金収納カセットの操作履歴を記録するメモリを備える。
【００１６】
本発明の現金処理機においては、顧客が操作して金融取引を行う自動取引装置に補充する現金を出金するとともに、前記自動取引装置から回収した現金を保管する現金処理機であって、現金を搬送するための現金収納カセットの操作履歴を記録するデータベースを備え、前記自動取引装置に通信可能に接続され、該自動取引装置に装着された現金収納カセットのカセット情報を受信して前記データベースに記録し、前記現金収納カセットの搬送時の現金の過不足をチェックする。
【００１７】
本発明の自動取引装置においては、顧客が操作して金融取引を行う自動取引装置であって、現金を搬送するための現金収納カセットに収納される現金の入金及び出金を行うカセット処理装置を備え、前記自動取引装置に補充する現金を出金するとともに、前記自動取引装置から回収した現金を保管する現金処理機に通信可能に接続され、前記自動取引装置に装着された前記現金収納カセットのカセット情報を前記現金処理機に送信する。
【００１８】
本発明の現金収納カセットにおいては、顧客が操作して金融取引を行う自動取引装置、及び、該自動取引装置に補充する現金を出金するとともに、前記自動取引装置から回収した現金を保管する現金処理機に装着可能な現金を搬送する現金収納カセットであって、施錠可能な扉及び前記現金収納カセットの操作履歴を記録するメモリを備え、前記自動取引装置及び現金処理機に装着されると、カセット情報を前記メモリに記録する。
【００１９】
本発明の現金取扱プログラムにおいては、現金取扱のためにコンピュータシステムを、顧客が操作して金融取引を行う自動取引装置、該自動取引装置に補充する現金を出金するとともに、前記自動取引装置から回収した現金を保管する現金処理機、及び、施錠可能な扉を備え、少なくとも前記自動取引装置に装着可能な現金を搬送するための現金収納カセットとして機能させ、前記現金処理機は、前記現金収納カセットの操作履歴を記録するデータベースを備えるとともに、前記自動取引装置に通信可能に接続され、前記自動取引装置に装着された現金収納カセットのカセット情報を受信して前記データベースに記録し、前記現金収納カセットの搬送時の現金の過不足をチェックする。
【００２０】
本発明の現金処理プログラムにおいては、現金処理のためにコンピュータを、顧客が操作して金融取引を行う自動取引装置に補充する現金を出金するとともに、前記自動取引装置から回収した現金を保管する現金処理機であって、現金を搬送するための現金収納カセットの操作履歴を記録するデータベースを備え、前記自動取引装置に通信可能に接続され、該自動取引装置に装着された現金収納カセットのカセット情報を受信して前記データベースに記録し、前記現金収納カセットの搬送時の現金の過不足をチェックする現金処理機として機能させる。
【００２１】
本発明の自動取引プログラムにおいては、自動取引のためにコンピュータを、顧客が操作して金融取引を行う自動取引装置であって、現金を搬送するための現金収納カセットに収納される現金の入金及び出金を行うカセット処理装置を備え、前記自動取引装置に補充する現金を出金するとともに、前記自動取引装置から回収した現金を保管する現金処理機に通信可能に接続され、前記自動取引装置に装着された前記現金収納カセットのカセット情報を前記現金処理機に送信する自動取引装置として機能させる。
【００２２】
【発明の実施の形態】
以下、本発明の実施の形態について図面を参照しながら詳細に説明する。
【００２３】
図１は本発明の第１の実施の形態における現金取扱システムの構成を示す図である。
【００２４】
図において、１０は銀行、郵便局、信用金庫、消費者金融会社等の金融機関の営業店に配設された現金取扱システムであり、現金処理機１１、第１の自動取引装置２０ａ及び第２の自動取引装置２０ｂ、並びに、前記現金処理機１１、第１の自動取引装置２０ａ及び第２の自動取引装置２０ｂに共通の現金収納カセット３０を有する。そして、前記現金処理機１１、第１の自動取引装置２０ａ及び第２の自動取引装置２０ｂは、ネットワーク３３を介して相互に接続されている。なお、第１の自動取引装置２０ａ及び第２の自動取引装置２０ｂを統括的に説明する場合には、自動取引装置２０として説明する。該自動取引装置２０は、実際には多数であってもよいが、本実施の形態においては、説明の都合上、第１の自動取引装置２０ａ及び第２の自動取引装置２０ｂで代表する。
【００２５】
ここで、前記自動取引装置２０は、前記営業店に配設されたＡＴＭ、ＣＤ等であり、前記金融機関の顧客が自分で操作して入金、出金、通帳記帳、残高照会、振込、振替、送金、定期性預金設定等の金融取引を行うための装置である。なお、前記自動取引装置２０は、コンビニエンスストア、スーパーマーケット等の商店、地下街、駅構内、駐車場等のいかなる場所に配設されたものであってもよい。また、前記自動取引装置２０は、他の機能、例えば、チケット予約機能、商品購入申込機能、クレジットカードの与信確認機能、施設情報案内機能等を有するキオスク端末のような多機能端末であってもよい。なお、前記自動取引装置２０は、営業店外に配設された場合であっても、前記ネットワーク３３に接続されているものとする。
【００２６】
また、前記自動取引装置２０は、営業店の窓口に配設され、該窓口を担当するテラー（Ｔｅｌｌｅｒ）としての営業店の担当者が取り扱う現金を保管する窓口入出金装置であってもよい。なお、本実施の形態においては、説明の都合上、前記自動取引装置２０が営業店内に配設されたＡＴＭであるとして説明する。
【００２７】
そして、前記自動取引装置２０は、ＣＰＵ、ＭＰＵ等の演算手段、半導体メモリ、磁気ディスク等の記憶手段、通信手段等を有する一種のコンピュータであり、さらに、キーボード、タッチパネル、マウス等の入力装置、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置等を備える顧客操作部を有する。なお、該顧客操作部は、入力装置と表示装置との機能を兼ね備えるタッチパネルであることが望ましい。また、前記自動取引装置２０は、キャッシュカード等のカードを取り扱い、顧客ＩＤを取得するカード取扱部を有する。そして、該カード取扱部は、カードが挿入されるカードスロットを備え、該カードスロット内には、カードを搬送する搬送装置、及び、カードの磁気ストライプやＩＣに格納された情報の読取、上書、消去等を行うための磁気ヘッド等の記録ヘッドが配設される。
【００２８】
さらに、前記自動取引装置２０は、取引明細票を印刷して発行する印刷部を有し、受付番号を媒体としての取引明細票に印刷するようになっている。また、該取引明細票は、入金、出金、通帳記帳、残高照会、振込、振替、送金、定期性預金設定等の顧客が行った金融取引に関する情報が印刷される紙片であり、口座番号、金融取引の種類、取引金額等が印刷される。さらに、前記自動取引装置２０は、預金通帳等の通帳に記帳する通帳記帳部を有する。
【００２９】
そして、前記自動取引装置２０は、紙幣及び硬貨を取り扱う貨幣入出金部を有する。該貨幣入出金部は、入金等の金融取引において顧客が入金した紙幣又は硬貨を受け取り計数するとともに、出金等の金融取引において所定金額の紙幣又は硬貨を払い出す。ここで、前記貨幣入出金部は、紙幣及び硬貨から成る現金を保管する現金保管庫２１、該現金保管庫２１に保管される現金の入金及び出金を行う現金入出金処理装置２２、並びに、前記自動取引装置２０に装着された現金収納カセット３０に収納される現金の入金及び出金を行うカセット処理装置２３を備える。また、前記自動取引装置２０は、紙幣及び硬貨を鑑別する図示されない現金鑑別装置を備え、紙幣及び硬貨の真偽の判別、紙幣及び硬貨の金種の判別、紙幣及び硬貨の二重送りの検出等を行い、紙幣及び硬貨を金種毎に選別するとともに、真正な紙幣及び硬貨以外のもの並びに二重送りされた紙幣及び硬貨を除外する、すなわち、リジェクトするようになっている。なお、リジェクトされた真正な紙幣及び硬貨以外のもの並びに二重送りされた紙幣及び硬貨は、リジェクト収納箱に収納される。
【００３０】
また、前記現金処理機１１は、前記営業店の出納を管理する部署としての出納元に配設され、前記自動取引装置２０に補充される現金及び該自動取引装置２０から回収された現金を計数するための装置であり、ＵＣＭとも呼ばれる装置である。そして、前記現金処理機１１は、ＣＰＵ、ＭＰＵ等の演算手段、半導体メモリ、磁気ディスク等の記憶手段、通信手段、印刷手段等を有する一種のコンピュータであり、さらに、キーボード、タッチパネル、マウス等の入力装置、ＣＲＴ、液晶ディスプレイ、ＬＥＤディスプレイ等の表示装置等を備える操作部を有する。なお、該操作部は、入力装置と表示装置との機能を兼ね備えるタッチパネルであることが望ましい。
【００３１】
そして、前記現金処理機１１は、現金を取り扱う図示されない現金取扱部を有する。該現金取扱部は、紙幣及び硬貨から成る現金を計数し、金種毎に仕分けして、金種別の現金収納箱に収納する。ここで、前記現金取扱部は、紙幣及び硬貨から成る現金を保管する現金保管庫１２、該現金保管庫１２に保管される現金の入金及び出金を行う現金入出金処理装置１３、並びに、前記現金処理機１１に装着された現金収納カセット３０に収納される現金の入金及び出金を行うカセット処理装置１４を備える。また、前記現金処理機１１は、紙幣及び硬貨を鑑別する現金鑑別装置を有し、紙幣及び硬貨の真偽の判別、紙幣及び硬貨の金種の判別、紙幣及び硬貨の二重送りの検出等を行い、紙幣及び硬貨を金種毎に選別するとともに、真正な紙幣及び硬貨以外のもの並びに二重送りされた紙幣及び硬貨を除外する、すなわち、リジェクトするようになっている。なお、リジェクトされた真正な紙幣及び硬貨以外のもの並びに二重送りされた紙幣及び硬貨は、リジェクト収納箱に収納される。
【００３２】
さらに、前記現金処理機１１は、現金収納カセット３０の装着及び取外日時、現金収納カセット３０を特定するカセットＩＤ、現金収納カセット３０内に収納されている現金の金額等のカセット操作履歴を記録するためのデータベースとしてのカセット操作履歴データベース３１を備える。該カセット操作履歴データベース３１は、半導体メモリ、磁気ディスク等の記憶手段を有し、前記現金処理機１１とは別個に構成されるものであるが、該現金処理機１１と一体的に構成されたものであってもよい。そして、本実施の形態において、前記現金処理機１１は、前記カセット操作履歴を処理するための情報処理用のサーバとしても機能し、前記カセット操作履歴データベース３１の上位装置である。
【００３３】
また、前記現金収納カセット３０は、現金を自動取引装置２０に補充する場合には、現金処理機１１によって計数された現金を収容して前記自動取引装置２０に搬送し、また、現金を自動取引装置２０から回収する場合には、該自動取引装置２０から回収した現金を収容して現金処理機１１に搬送するために使用される。そのため、前記現金収納カセット３０は、内部に現金を収容することができ、また、現金を出し入れする開口は施錠可能な扉によって閉止されている。そして、本実施の形態における現金収納カセット３０は、自動取引装置２０及び現金処理機１１に共通するものであり、前記現金処理機１１及び自動取引装置２０に装着することができるようになっている。なお、前記現金収納カセット３０は、搬送を容易にするために車輪や保持ハンドル等を備えていてもよい。
【００３４】
そして、現金処理機１１によって計数された現金を収容する現金収納カセット３０を自動取引装置２０に装着した場合には、カセット処理装置２３が前記現金収納カセット３０の扉の鍵を開けて扉を開放し、前記現金収納カセット３０内から自動的に現金を取り出すようになっている。なお、現金を自動取引装置２０から回収する場合、前記カセット処理装置２３は、現金を現金収納カセット３０内に収容した後、前記扉を閉止して施錠する。また、自動取引装置２０から回収された現金を収容する現金収納カセット３０を現金処理機１１に装着した場合には、カセット処理装置１４が前記現金収納カセット３０の扉の鍵を開けて扉を開放し、前記現金収納カセット３０内から自動的に現金を取り出すようになっている。なお、計数された現金を収容する現金収納カセット３０に収容する場合、前記カセット処理装置１４は、現金を現金収納カセット３０内に収容した後、前記扉を閉止して施錠する。
【００３５】
また、前記現金収納カセット３０は、カセット操作履歴を記録するメモリとしての操作履歴メモリ３２を有する。該操作履歴メモリ３２は、不揮発性の半導体メモリのように電源をオフにしても記憶内容が消去されない記憶手段から成り、現金収納カセット３０を特定するカセットＩＤ、現金収納カセット３０の扉を開閉した記録、現金収納カセット３０を現金処理機１１及び自動取引装置２０に装着した記録、現金収納カセット３０に収容された現金の金額等を記憶する。
【００３６】
そして、前記ネットワーク３３は、無線又は有線の専用通信回線網から成るＬＡＮ（Ｌｏｃａｌ  Ａｒｅａ  Ｎｅｔｗｏｒｋ）やイントラネットであるが、ＷＡＮ（Ｗｉｄｅ  Ａｒｅａ  Ｎｅｔｗｏｒｋ）等の広域通信回線網であってもよいし、いかなるものであってもよい。また、前記ネットワーク３３は、公衆通信回線網を利用したＶＰＮ（Ｖｉｒｔｕａｌ  Ｐｒｉｖａｔｅ  Ｎｅｔｗｏｒｋ）であってもよい。
【００３７】
次に、前記構成の現金取扱システム１０の動作について説明する。
【００３８】
まず、現金を自動取引装置２０に補充する場合の動作について説明する。この場合、現金収納カセット３０の搬送を担当するオペレータが、前記現金収納カセット３０を現金処理機１１に装着する。続いて、前記オペレータ又は前記営業店の出納元の担当者が前記現金処理機１１の操作部を操作して、補充する金額を入力して、現金の補充を実行させる。すると、カセット処理装置１４が前記現金収納カセット３０の扉の鍵を開けて扉を開放する。また、現金入出金処理装置１３は、現金保管庫１２から現金を出金する。そして、該現金は計数された後、カセット処理装置１４によって現金収納カセット３０内に収容される。続いて、前記カセット処理装置１４が前記現金収納カセット３０の扉を閉止して施錠する。
【００３９】
また、前記オペレータ又は前記営業店の出納元の担当者は、前記現金処理機１１の操作部を操作して、現金を補充する対象となる自動取引装置２０、すなわち、前記現金収納カセット３０の行き先となる自動取引装置２０を、該自動取引装置２０のＩＤ等を入力することによって指定する。これにより、前記現金処理機１１から指定された自動取引装置２０に、ネットワーク３３を介して、カセット搬送予約通知が送信される。該カセット搬送予約通知には、現金収納カセット３０を特定するためのカセットＩＤ、現金収納カセット３０内に収容された現金の金額、前記オペレータを特定するためのオペレータＩＤ等のカセット情報が含まれる。
【００４０】
続いて、前記オペレータが、前記現金収納カセット３０を現金処理機１１から取り外す。このとき、前記カセットＩＤ、現金収納カセット３０内に収容された現金の金額、オペレータＩＤ、現金収納カセット３０の扉を開閉した記録等の情報が現金収納カセット３０の操作履歴として、カセット操作履歴データベース３１及び操作履歴メモリ３２に記録される。
【００４１】
続いて、前記オペレータは、前記現金収納カセット３０を現金処理機１１から指定された自動取引装置２０に搬送し、該自動取引装置２０に前記現金収納カセット３０を装着する。なお、該現金収納カセット３０を現金処理機１１から取り外してから自動取引装置２０に装着するまでの間に現金収納カセット３０の扉が開閉された場合には、該扉を開閉した記録が操作履歴として操作履歴メモリ３２に記録される。
【００４２】
そして、前記オペレータが現金収納カセット３０を指定された自動取引装置２０に装着すると、該自動取引装置２０は、装着された現金収納カセット３０の操作履歴メモリ３２に記録されたカセットＩＤ、現金収納カセット３０内に収容された現金の金額、扉を開閉した記録を読み取る。続いて、前記自動取引装置２０は、操作履歴メモリ３２から読み取ったカセットＩＤ及び現金の金額が、あらかじめ受信したカセット搬送予約通知に含まれるカセットＩＤ及び現金の金額とそれぞれ一致するか否か、並びに、扉の開閉が行われたか否かをチェックする。そして、前記自動取引装置２０は、カセットＩＤ及び現金の金額が一致し、かつ、扉の開閉が行われていない場合、処理続行可、すなわち、ＯＫであると判断する。また、前記自動取引装置２０は、カセットＩＤ若しくは現金の金額が一致していない、又は、扉の開閉が行われた場合、処理続行不可、すなわち、ＮＧであると判断する。
【００４３】
そして、ＯＫである場合、前記自動取引装置２０は次の処理を実行する。また、ＮＧである場合、前記自動取引装置２０は顧客操作部の表示装置等にＮＧである旨の警告メッセージを出力し、次の処理を実行しない。この場合、営業店の支店長等の営業店の出納処理の監督権限を有する者、すなわち、役席者の所持するＩＤカードを自動取引装置２０のカード取扱部に読み取らせたり、役席者の所持する暗証コードを自動取引装置２０の顧客操作部から入力したりすることによって、役席者承認が入力されると、前記自動取引装置２０は次の処理を実行することができる。
【００４４】
続いて、前記自動取引装置２０は、次の処理を実行し、まず、現金収納カセット３０が装着されたこと、すなわち、装着情報をネットワーク３３を介して、現金処理機１１に送信する。該現金処理機１１は、受信した装着情報をカセット操作履歴データベース３１に記録させる。なお、装着情報は操作履歴メモリ３２にも記録される。
【００４５】
続いて、前記自動取引装置２０のカセット処理装置２３が前記現金収納カセット３０の扉の鍵を開けて扉を開放し、前記現金収納カセット３０内から自動的に現金を取り出す。そして、現金入出金処理装置２２は、現金保管庫２１に現金を金種毎に収納する。これにより、自動取引装置２０に現金が補充される。
【００４６】
次に、現金を自動取引装置２０から回収する場合の動作について説明する。この場合、該自動取引装置２０の現金入出金処理装置２２は、現金保管庫２１内から現金を取り出す。そして、カセット処理装置２３は現金を現金収納カセット３０内に収納し、該現金収納カセット３０の扉を閉じて施錠する。
【００４７】
続いて、前記オペレータが、前記現金収納カセット３０を自動取引装置２０から取り外す。このとき、該自動取引装置２０は、現金収納カセット３０が取り外されたこと、すなわち、取外情報をネットワーク３３を介して、現金処理機１１に送信する。なお、前記取外情報には、現金収納カセット３０を特定するためのカセットＩＤ、現金収納カセット３０内に収容された現金の金額、前記オペレータを特定するためのオペレータＩＤ等のカセット情報が含まれる。そして、前記現金処理機１１は、受信した取外情報をカセット操作履歴データベース３１に記憶させる。なお、取外情報は操作履歴メモリ３２にも記録される。
【００４８】
続いて、前記オペレータは、前記現金収納カセット３０を前記自動取引装置２０から現金処理機１１に搬送し、該現金処理機１１に前記現金収納カセット３０を装着する。なお、該現金収納カセット３０を自動取引装置２０から取り外してから現金処理機１１に装着するまでの間に現金収納カセット３０の扉が開閉された場合には、該扉を開閉した記録が操作履歴として操作履歴メモリ３２に記録される。
【００４９】
そして、前記オペレータが現金収納カセット３０を現金処理機１１に装着すると、該現金処理機１１は、装着された現金収納カセット３０の操作履歴メモリ３２に記憶されたカセットＩＤ、現金収納カセット３０内に収容された現金の金額、扉を開閉した記録を読み取る。続いて、前記現金処理機１１は、操作履歴メモリ３２から読み取ったカセットＩＤ及び現金の金額が、あらかじめ受信した取外情報に含まれるカセットＩＤ及び現金の金額とそれぞれ一致するか否か、並びに、扉の開閉が行われたか否かをチェックする。そして、前記現金処理機１１は、カセットＩＤ及び現金の金額が一致し、かつ、扉の開閉が行われていない場合、処理続行可、すなわち、ＯＫであると判断する。また、前記現金処理機１１は、カセットＩＤ若しくは現金の金額が一致していない、又は、扉の開閉が行われた場合、処理続行不可、すなわち、ＮＧであると判断する。
【００５０】
そして、ＯＫである場合、前記現金処理機１１は次の処理を実行する。また、ＮＧである場合、前記現金処理機１１は操作部の表示装置等にＮＧである旨の警告メッセージを出力し、次の処理を実行しない。この場合、営業店の支店長等の営業店の出納処理の監督権限を有する者、すなわち、役席者の所持するＩＤカードを現金処理機１１のカード取扱部に読み取らせたり、役席者の所持する暗証コードを現金処理機１１の顧客操作部から入力したりすることによって、役席者承認が入力されると、前記現金処理機１１は次の処理を実行することができる。
【００５１】
続いて、前記現金処理機１１は、次の処理を実行し、まず、現金収納カセット３０が装着されたこと、すなわち、装着情報をカセット操作履歴データベース３１に記憶させる。なお、装着情報は操作履歴メモリ３２にも記録される。
【００５２】
続いて、前記現金処理機１１のカセット処理装置１４が前記現金収納カセット３０の扉の鍵を開けて扉を開放し、前記現金収納カセット３０内から自動的に現金を取り出す。そして、現金入出金処理装置１３は、現金保管庫１２に現金を金種毎に収納する。なお、現金収納カセット３０内から取り出された現金は、現金保管庫１２に収納される前に計数される。これにより、自動取引装置２０から現金が回収される。
【００５３】
次に、現金取扱をチェックする動作について説明する。
【００５４】
この場合、現金処理機１１によって、一定時間毎に、又は、任意のタイミングで現金収納カセット３０の搬送時の金額をチェックすることができる。
【００５５】
まず、前記営業店の出納元の担当者は、現金処理機１１の操作部を操作して、取引メニューにおけるカセット搬送チェックボタンを押下する。これにより、前記現金処理機１１は、カセット操作履歴データベース３１からカセット操作履歴を読み込み、操作部の表示装置に表示する。この場合、現金収納カセット３０の装着、取外等の操作毎にカセット操作履歴に含まれる情報が表示される。
【００５６】
そして、前記現金処理機１１は、次の（１）及び（２）の事項についてチェックする。
（１）現金収納カセット３０が現金処理機１１又は自動取引装置２０に装着される時点までに扉の開閉が行われなかったこと。
（２）現金収納カセット３０が現金処理機１１又は自動取引装置２０に装着される時点又は取り外される時点の現金収納カセット３０内に収容された現金の金額が、搬送の前後で変化していないこと。
【００５７】
なお、前記（２）の事項については、次の式（ａ）又は（ｂ）が満たされている場合に、前記金額が搬送の前後で変化していないと判断する。
現金処理機１１から自動取引装置２０に現金収納カセット３０を搬送する場合：｛現金処理機１１から現金収納カセット３０を取り外す時点の現金収納カセット３０内に収容された現金の金額｝−
｛自動取引装置２０に現金収納カセット３０を装着する時点の現金収納カセット３０内に収容された現金の金額｝＝０・・・式（ａ）
自動取引装置２０から現金処理機１１に現金収納カセット３０を搬送する場合：｛自動取引装置２０から現金収納カセット３０を取り外す時点の現金収納カセット３０内に収容された現金の金額｝−
｛現金処理機１１に現金収納カセット３０を装着する時点の現金収納カセット３０内に収容された現金の金額｝＝０・・・式（ｂ）
ここで、自動取引装置２０に現金収納カセット３０を装着する時点の現金収納カセット３０内に収容された現金の金額、及び、現金処理機１１に現金収納カセット３０を装着する時点の現金収納カセット３０内に収容された現金の金額は、操作履歴メモリ３２に記録されたものを使用する。
【００５８】
そして、前記現金処理機１１は、前記式（ａ）又は（ｂ）が満たされていない場合には、現金事故が発生したと判断して、警告メッセージを操作部の表示装置に表示する。なお、前記担当者がカセット搬送チェックボタンを押下しなくても、前記現金処理機１１が自動的に一定時間毎に、前記（１）及び（２）の事項についてチェックするようにしてもよい。
【００５９】
また、前記（１）の事項についてチェックし、扉の開閉が行われたとが判断した場合、前記（２）の事項については、次の式（ｃ）又は（ｄ）が満たされているときに、前記金額が搬送の前後で変化していないと判断する。
現金処理機１１から自動取引装置２０に現金収納カセット３０を搬送する場合：｛現金処理機１１から現金収納カセット３０を取り外す時点の現金収納カセット３０内に収容された現金の金額｝−
｛自動取引装置２０に現金収納カセット３０を装着する時点の現金収納カセット３０内に収容された現金の金額｝＜α・・・式（ｃ）
自動取引装置２０から現金処理機１１に現金収納カセット３０を搬送する場合：｛現金処理機１１に現金収納カセット３０を装着する時点の現金収納カセット３０内に収容された現金の金額｝−
｛自動取引装置２０から現金収納カセット３０を取り外す時点の現金収納カセット３０内に収容された現金の金額｝＜α・・・式（ｄ）
ここで、α＝｛自動取引装置２０が計数した金額｝＊｛自動取引装置２０における平均リジェクト率｝である。
【００６０】
なお、前記自動取引装置２０が計数した金額は、現金を自動取引装置２０から回収する際に計数した金額である。また、自動取引装置２０における平均リジェクト率は、該当する自動取引装置２０においてリジェクトされた真正な紙幣及び硬貨以外のもの並びに二重送りされた紙幣及び硬貨の率、すなわち、リジェクト率の実測値を平均した値である。
【００６１】
このように、本実施の形態においては、現金処理機１１と自動取引装置２０とに共通の現金収納カセット３０を装着することができるようになっているので、自動取引装置２０に保管される現金の補充及び回収を人手によらず自動的に行うことができる。そのため、現金の補充及び回収の業務における作業効率を向上させることができる。
【００６２】
また、現金処理機１１は、前記現金収納カセット３０の操作履歴を記録するカセット操作履歴データベース３１を備えるとともに、前記自動取引装置２０に通信可能に接続され、該自動取引装置２０に装着された現金収納カセット３０のカセット情報を受信して前記カセット操作履歴データベース３１に記録し、前記現金収納カセット３０の搬送時の現金の過不足をチェックするようになっている。そして、現金事故が発生したと判断すると、警告メッセージを操作部の表示装置に表示する。そのため、現金収納カセット３０の搬送後、即座に現金の過不足を検出することができる。これにより、現金事故発生の真相解明をより正確に行うことができ、現金事故時の調査時間を短縮することができる。
【００６３】
さらに、現金処理機１１と自動取引装置２０とがネットワーク３３を介して接続され、連動するようになっているので、現金処理機１１によって現金収納カセット３０の操作履歴を一元的に管理することができ、現金事故時に迅速な調査を行うことができる。また、カセット操作履歴データベース３１に、現金収納カセット３０を特定するためのカセットＩＤ、現金収納カセット３０内に収容された現金の金額、前記オペレータを特定するためのオペレータＩＤ等のカセット情報等が記録されるので、検索ツールを使用することによって詳細な調査を行うことができる。そして、調査にかかる時間を短縮することができる。
【００６４】
さらに、自動取引装置２０の保管されている現金の金額、すなわち、有高を現金処理機１１によって確認することができるので、補充すべき現金の金額を現金処理機１１において算出することができ、時間を短縮することができる。
【００６５】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６６】
図２は本発明の第２の実施の形態における現金取扱システムの構成を示す図である。
【００６７】
ところで、前記第１の実施の形態においては、現金処理機１１と自動取引装置２０とに共通の現金収納カセット３０を装着することができる場合について説明した。しかし、現金処理機１１と自動取引装置２０とに共通の現金収納カセット３０を装着することができない場合もある。すなわち、通常の自動取引装置２０が紙幣及び硬貨を取り扱うようになっているので、現金収納カセット３０は紙幣及び硬貨を収容するようになっている。これに対し、現金処理機１１の場合、硬貨を収容する現金収納カセット３０に対応していないものも多数存在する。この場合、前記現金収納カセット３０を現金処理機１１に装着することができなくなってしまう。
【００６８】
そのため、現金を自動取引装置２０に補充する場合には、計数された現金を現金処理機１１から一度出金させ、出金された現金を人手によって現金収納カセット３０に収容する必要がある。また、現金を自動取引装置２０から回収する場合には、人手によって現金収納カセット３０から現金を取り出して、現金処理機１１に装填する必要がある。さらに、現金処理機１１は、操作履歴メモリ３２に操作履歴を記録したり、操作履歴メモリ３２から操作履歴を読み取ることができなくなってしまう。
【００６９】
そこで、本実施の形態においては、現金処理機１１と自動取引装置２０とに共通の現金収納カセット３０を装着することができる場合について説明する。
【００７０】
図において、４０は現金収納カセットであり、自動取引装置２０に装着することができるようになっているが、現金処理機１１には装着することができないものである。また、前記現金収納カセット４０は、カセット操作履歴を記録する操作履歴メモリを有していないが、その他の点については、前記第１の実施の形態における現金収納カセット３０と同様であるので、説明を省略する。
【００７１】
次に、前記構成の現金取扱システム１０の動作について説明する。
【００７２】
まず、現金を自動取引装置２０に補充する場合の動作について説明する。この場合、オペレータ又は前記営業店の出納元の担当者が前記現金処理機１１の操作部を操作して、補充する金額を入力して、現金の出金させる。そして、前記オペレータ又は前記営業店の出納元の担当者は、現金収納カセット４０の扉の鍵を開けて扉を開放し、出金された現金を前記現金収納カセット４０に収容する。続いて、前記オペレータ又は前記営業店の出納元の担当者は、前記現金収納カセット４０の扉を閉止して施錠する。
【００７３】
また、オペレータ又は前記営業店の出納元の担当者が前記現金処理機１１の操作部を操作して、現金を補充する対象となる自動取引装置２０、すなわち、前記現金収納カセット４０の行き先となる自動取引装置２０を、該自動取引装置２０のＩＤ等を入力することによって指定する。これにより、前記現金処理機１１から指定された自動取引装置２０に、ネットワーク３３を介して、カセット搬送予約通知が送信される。該カセット搬送予約通知には、現金収納カセット４０を特定するためのカセットＩＤ、現金収納カセット４０内に収容された現金の金額、前記オペレータを特定するためのオペレータＩＤ等のカセット情報が含まれる。
【００７４】
続いて、前記オペレータは、前記現金収納カセット４０を現金処理機１１から指定された自動取引装置２０に搬送し、該自動取引装置２０に前記現金収納カセット４０を装着する。すると、前記自動取引装置２０は、現金収納カセット４０が装着されたこと、すなわち、装着情報をネットワーク３３を介して、現金処理機１１に送信する。該現金処理機１１は、受信した装着情報をカセット操作履歴データベース３１に記録させる。
【００７５】
続いて、前記自動取引装置２０のカセット処理装置２３が前記現金収納カセット４０の扉の鍵を開けて扉を開放し、前記現金収納カセット４０内から自動的に現金を取り出す。そして、現金入出金処理装置２２は、現金保管庫２１に現金を金種毎に収納する。これにより、自動取引装置２０に現金が補充される。
【００７６】
次に、現金を自動取引装置２０から回収する場合の動作について説明する。この場合、前記自動取引装置２０の現金入出金処理装置２２は、現金保管庫２１内から現金を取り出す。そして、カセット処理装置２３は現金を現金収納カセット３０内に収納し、該現金収納カセット４０の扉を閉じて施錠する。
【００７７】
続いて、前記オペレータが、前記現金収納カセット４０を自動取引装置２０から取り外す。このとき、該自動取引装置２０は、現金収納カセット４０が取り外されたこと、すなわち、取外情報をネットワーク３３を介して、現金処理機１１に送信する。なお、前記取外情報には、現金収納カセット４０を特定するためのカセットＩＤ、現金収納カセット４０内に収容された現金の金額、前記オペレータを特定するためのオペレータＩＤ等のカセット情報が含まれる。そして、前記現金処理機１１は、受信した取外情報をカセット操作履歴データベース３１に記録させる。
【００７８】
続いて、前記オペレータは、前記現金収納カセット４０を前記自動取引装置２０から現金処理機１１に搬送する。そして、前記オペレータ又は前記営業店の出納元の担当者は、現金収納カセット４０の扉の鍵を開けて扉を開放し、該現金収納カセット４０から現金を取り出し、現金処理機１１に装填する。続いて、オペレータ又は前記営業店の出納元の担当者が前記現金処理機１１の操作部を操作して、現金収納カセット３０が装着されたこと、すなわち、装着情報をカセット操作履歴データベース３１に記録させる。そして、現金収納カセット４０内から取り出された現金は、計数されて、金種別に現金保管庫１２に収納される。これにより、自動取引装置２０から現金が回収される。
【００７９】
次に、現金取扱をチェックする動作について説明する。
【００８０】
この場合、現金収納カセット４０の搬送時の金額のチェックは定期的に、例えば、毎日の締めを行う時に行われる。まず、前記営業店の出納元の担当者は、現金処理機１１の操作部を操作して、取引メニューにおけるカセット搬送チェックボタンを押下する。これにより、前記現金処理機１１はチェックを開始する。本実施の形態においては、現金収納カセット４０の扉の開閉が行われているので、前記現金処理機１１は、前記第１の実施の形態における（２）の事項についてチェックする。そして、前記第１の実施の形態における式（ｃ）又は（ｄ）が満たされているときに、前記金額が搬送の前後で変化していないと判断する。
【００８１】
このように、本実施の形態においては、現金処理機１１と自動取引装置２０とがネットワーク３３を介して接続され、連動するようになっているので、現金処理機１１によって現金収納カセット４０の操作履歴を一元的に管理することができ、現金事故時に迅速な調査を行うことができる
また、カセット操作履歴データベース３１に、現金収納カセット４０内に収容された現金の金額、前記オペレータを特定するためのオペレータＩＤ等のカセット情報等が記録されるので、検索ツールを使用することによって詳細な調査を行うことができる。そして、調査にかかる時間を短縮することができる。
【００８２】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００８３】
図３は本発明の第３の実施の形態における現金取扱システムの構成を示す図である。
【００８４】
本実施の形態においては、ネットワーク３３にクライアント５０が接続されている。なお、その他の構成については、前記第１及び第２の実施の形態と同様なので、その説明を省略する。
【００８５】
この場合、前記クライアント５０は、ＣＰＵ、ＭＰＵ等の演算手段、半導体メモリ、磁気ディスク等の記憶手段、ＣＲＴ、液晶ディスプレイ、ＬＥＤディスプレイ等の表示装置、キーボード、マウス等の入力手段、通信手段、印刷手段等を備えるコンピュータであり、例えば、パーソナルコンピュータであるが、ワークステーション、サーバ等いかなる形態のものであってもよい。なお、図において、５１は表示装置としてのディスプレイであり、５２は記憶手段としてのハードディスク装置（ＨＤＤ）である。
【００８６】
本実施の形態において、現金処理機１１及びクライアント５０が一種のクライアントサーバシステムを構成し、前記現金処理機１１は処理を実行するサーバとして機能し、前記クライアント５０はサーバのサービスを受けるクライアントとして機能する。そのため、前記クライアント５０には、前記現金処理機１１と接続するアプリケーションとしてのＵＣＭ照会アプリケーションがインストールされている。
【００８７】
そして、営業店の出納元の担当者が前記クライアント５０を操作して、ＵＣＭ照会アプリケーションを起動させ、パスワードを入力すると、前記ＵＣＭ照会アプリケーションは、現金処理機１１にアクセスして、パスワードの照会を行った後、カセット操作履歴データベース３１から特定期間（例えば、締め期間）のデータを取得する。
【００８８】
そして、前記ＵＣＭ照会アプリケーションは、前記第１又は第２の実施の形態において説明したように、現金収納カセット３０又は現金収納カセット４０の搬送時の金額をチェックする。そして、前記ＵＣＭ照会アプリケーションは、前記式（ａ）若しくは（ｂ）が満たされていない場合、又は、前記式（ｃ）若しくは（ｄ）が満たされていない場合には、現金事故が発生したと判断して、警告メッセージを操作部のディスプレイ５１に表示する。また、前記ＵＣＭ照会アプリケーションは、カセット操作履歴データベース３１に記録されているデータの内容を一覧にして表示する。
【００８９】
このように、本実施の形態においては、現金処理機１１を使用しなくても、クライアント５０を操作することによって、現金収納カセット３０又は現金収納カセット４０の搬送時の金額をチェックすることができる。そのため、現金処理機１１の稼働率を向上させることができる。
【００９０】
なお、本発明は前記実施の形態に限定されるものではなく、本発明の趣旨に基づいて種々変形させることが可能であり、それらを本発明の範囲から排除するものではない。
【００９１】
【発明の効果】
以上詳細に説明したように、本発明によれば、現金事故の発生を防止するとともに、現金事故が発生した場合であっても、事故調査を容易に行うことができ、発生原因を迅速に究明することができる。
【図面の簡単な説明】
【図１】本発明の第１の実施の形態における現金取扱システムの構成を示す図である。
【図２】本発明の第２の実施の形態における現金取扱システムの構成を示す図である。
【図３】本発明の第３の実施の形態における現金取扱システムの構成を示す図である。
【符号の説明】
１０    現金取扱システム
１１    現金処理機
１４、２３    カセット処理装置
２０    自動取引装置
３０、４０    現金収納カセット
３１    カセット操作履歴データベース
３２    操作履歴メモリ
【図１】
2004318415.tif 000003
【図２】
2004318415.tif 000004
【図３】
2004318415.tif 000005